(57)【特許請求の範囲】
【請求項１】
コンクリート躯体に設定された撤去領域に、メッシュ状の切込みを入れて該撤去領域を複数のブロックに分割する切込み工程と、
前記ブロックを撤去する解体工程と、を含むコンクリート躯体の解体方法であって、
前記メッシュ状の切込みが前記撤去領域の外周囲を囲むように形成された周縁切込みと、該周縁切込みの内部に形成された縁内切込みと、を備えており、
前記切込み工程において、少なくとも前記周縁切込みのうちの１辺である第一切込みを、段差付きの溝により形成することで該第一切込みの表面側の溝幅が底側の溝幅よりも大きくなるように形成し、
前記解体工程において、前記第一切込みに沿って形成された縁内切込みである第二切込みの溝幅を広げることにより前記第一切込みと前記第二切込みとの間のブロックを撤去することを特徴とする、コンクリート躯体の解体方法。
【請求項２】
前記解体工程において、前記第二切込みにくさびを挿入し、該第二切込みの溝幅を広げることを特徴とする、請求項１に記載のコンクリート躯体の解体方法。
【請求項３】
前記解体工程において、前記第二切込みに膨張剤を注入し、該膨張剤の膨張力により前記第二切込みの溝幅を広げることを特徴とする、請求項１に記載のコンクリート躯体の解体方法。
【請求項４】
前記第二切込みを、段差付きの溝により形成することを特徴とする、請求項２に記載のコンクリート躯体の解体方法。
【請求項５】
前記第二切込みを、異なる直径の刃同士を組み合わせてなる二枚刃のカッターを利用して形成することを特徴とする、請求項４に記載のコンクリート躯体の解体方法。
【発明の詳細な説明】
【技術分野】
【０００１】
本発明は、コンクリート躯体を解体するコンクリート躯体の解体方法に関する。
【背景技術】
【０００２】
原子力発電所、核燃再処理施設、医療用放射線利用施設等において、コンクリート躯体の放射能により汚染された部分を取り除く場合がある。
従来、このようなコンクリート躯体の解体を行う場合には、ブレーカ等の破砕機を利用してはつる方法が一般的に行われていた。
【０００３】
ところが、放射能により汚染された部分の破砕機によるはつり作業は、放射能により汚染された粉じんが多量に発生するため、作業員等の被ばく防止のための排気設備の設置や、排気フィルターの交換頻度等、安全性を確保するための労力や費用が嵩むという問題点を有していた。
【０００４】
また、被ばく防護服の着用によるはつり機器の取り扱いは、作業性が悪く、手作業のため、大面積の汚染に対しては不向きであった。
また、被ばく防護服や排気フィルター等の二次的な放射性廃棄物の発生が多いという問題点も有していた。
【０００５】
また、コンクリート躯体の解体に伴い発生した廃棄物は、ドラム缶等の処分容器に密閉した状態で処分する必要があるが、ガラ状に破砕された廃棄物は、処分容器に６０％程度しか充填することができなかった。このような廃棄物処分の費用は、処分容器一体あたりで換算されるため、廃棄物の充填率が低い従来の解体方法は、割高となっていた。
さらに、汚染濃度の高いコンクリート躯体の解体に使用した機械は、原則として廃棄処分となるため、大掛かりな破砕機の買取、処分により、費用が嵩むという問題点を有していた。
【０００６】
そのため、放射能により汚染されたコンクリート躯体の解体方法として、粉じんの発生が少ないコンクリートの解体方法が多数開発されて実用化に至っている。
例えば、特許文献１には、部分的に放射能汚染された側壁の表面側の汚染部分と、放射能汚染されていない裏側の部分との境界部に沿って縦孔を形成し、この縦孔を利用してワイヤーソーにより上下方向に切断面を形成し、次にワイヤーソーにより水平方向に切断面を形成して、放射能汚染された部分をブロックとして、順次切断除去する汚染箇所を含むコンクリート塊を撤去する解体方法が開示されている。
【０００７】
なお、このような従来のコンクリート躯体の解体方法は、放射能により汚染された部分の撤去に限られず、例えば、コンクリート躯体に発生したひびわれや剥落箇所の補修時に、コンクリート躯体の一部を部分的に撤去する場合にも適用可能である。
【０００８】
【特許文献１】特開平５−１９６７９７号公報
【発明の開示】
【発明が解決しようとする課題】
【０００９】
ところが、前記従来の解体方法は、上下方向の全延長にわたる切断面をコンクリート躯体に形成する必要があり、所望の部分のみを取り除くことは困難であったため、必然的に施工範囲が広くなり、作業に手間を要していた。
また、汚染部分周辺の汚染されていない部分も多く含んで解体することになり、放射性廃棄物として処分される廃棄物の量が多くなってしまう。そのため、処分のための費用が嵩むという問題点を有していた。
また、上下方向で一体的に撤去するため、構造耐力上、切断範囲が制限されることや、仮支持構造が必要となるため、大面積範囲にわたる放射能汚染に対応することが困難であるという問題点を有していた。
【００１０】
また、比較的大きな塊状に解体されるため、ドラム缶等の処分容器に収容するためには、２次的な破砕を要し、手間がかかっていた。
さらに、縦孔を削孔するため機械やワイヤーソー等、複数の機械を必要とするため、その買取、処分に費用が嵩むという問題点を有していた。
【００１１】
本発明は、前記の問題点を解決するためになされたものであり、作業性、安全性および経済性に優れたコンクリート躯体の解体方法を提案することを課題とする。
【課題を解決するための手段】
【００１２】
前記課題を解決するために、本発明は、コンクリート躯体に設定された撤去領域に、メッシュ状の切込みを入れて該撤去領域を複数のブロックに分割する切込み工程と、前記ブロックを撤去する解体工程と、を含むコンクリート躯体の解体方法であって、前記メッシュ状の切込みが前記撤去領域の外周囲を囲むように形成された周縁切込みと、該周縁切込みの内部に形成された縁内切込みと、を備えており、前記切込み工程において、少なくとも前記周縁切込みのうちの１辺である第一切込みを、段差付きの溝により形成することで該第一切込みの表面側の溝幅が底側の溝幅よりも大きくなるように形成し、前記解体工程において、前記第一切込みに沿って形成された縁内切込みである第二切込みの溝幅を広げることにより前記第一切込みと前記第二切込みとの間のブロックを撤去することを特徴としている。
【００１３】
かかるコンクリート躯体の解体方法によれば、撤去領域にメッシュ状の切込みを入れて、細分化されたブロックを撤去するため、粉じんの発生を抑えた状態で解体することが可能となる。そのため、安全性が確保されるとともに、作業性にも優れている。
【００１４】
また、コンクリート躯体を貫通させずに部分的に解体することが可能となるため、仮支持構造等を要することなく、大面積範囲にわたる撤去範囲に対しても適用が可能である。
また、メッシュ状に細分化して撤去するため、撤去範囲を最小限に制限することが可能となり、廃棄物の量を最小限に抑えることが可能となる。
【００１５】
また、第一切込みの表面側の溝が太く形成されているため、第二切込みの溝幅を広げ易くなり、その結果、ブロックに第一切込み方向の力を容易に負荷することが可能となる。これにより、ブロックの根元においてせん断破壊を生じさせることが可能になり、ブロックの撤去が容易となる。
【００１６】
また、解体に伴い発生する廃棄物は、細分化されたブロック状に解体されているため、処分容器に規則正しく詰めることが可能となり、また、廃棄物と処分容器との隙間に切り粉（粉じん）を詰めることで、処分容器の充填率を１００％に近づけることが可能となる。そのため、廃棄物処分に要する費用を最小限に抑えることが可能となる。
【００１７】
さらに、コンクリート躯体の解体に使用する機械（買取、処分となる機械）としては、コンクリートカッター等、簡易な機械のみで済むため、設備費が安価である。
【００１８】
なお、前記解体工程において、前記第二切込みにくさびを挿入することで、該第二切込みの溝幅を広げてもよい。
【００１９】
また、前記解体工程において、前記第二切込みに膨張剤を注入し、該膨張剤の膨張力により前記第二切込みの溝幅を広げてもよい。
【００２０】
かかるコンクリート躯体の解体方法によれば、静的破砕を利用しているため、撤去範囲の解体時には、作業員は離れた位置で待機していることが可能となり、コンクリート塊の崩落や粉じんの飛散等による危険性が低減される。
また、膨張剤を注入する深さを調整することにより、所望の深さによる撤去が可能なため、廃棄物の処分量を最小限に抑えることが可能となる。
【００２１】
前記コンクリート躯体の解体方法において、前記第二切込みを、段差付きの溝により形成すれば、例えば、くさび等を利用して第二切込みの溝幅を広げる際に、段差を利用したてこの力により、解体をより簡易に行うことが可能となる。また、くさびを切込みの奥まで挿入することが可能となり、より解体作業を容易に行うことが可能となる。
【００２２】
また、前記段差付きの溝を、異なる直径の刃同士を組み合わせてなる二枚刃のカッターを利用して形成すれば、作業を容易に行うことが可能なため、好適である。
【発明の効果】
【００２３】
本発明のコンクリート躯体の解体方法によれば、従来の解体方法と比較して作業性、安全性および経済性に優れた方法により、コンクリート躯体を部分的に解体することが可能となった。
【発明を実施するための最良の形態】
【００２４】
本発明の好適な実施の形態について、図面を参照して説明する。なお、説明において、同一要素には同一の符号を用い、重複する説明は省略する。
【００２５】
＜第１の実施の形態＞
本実施形態では、コンクリート躯体１である放射線遮蔽壁について、放射能により汚染された汚染部分３を含む撤去領域２を、本発明のコンクリート躯体の解体方法により撤去する場合について説明する（図１参照）。
【００２６】
本実施形態に係るコンクリート躯体の解体方法は、コンクリート躯体１に設定された撤去領域２に、メッシュ状の切込み（周縁切込み１０および縁内切込み２０）を入れて該撤去領域２を複数のブロック３０，３０，…に分割する切込み工程と、これらのブロック３０，３０，…を撤去する解体工程とを含んでいる（図１および図２参照）。
【００２７】
切込み工程では、汚染部分３を含む矩形状の撤去領域２に、メッシュ状の切込み（周縁切込み１０および縁内切込み２０）を形成する。切込み工程で形成されるメッシュの大きさ（ブロック３０の大きさ）は限定されるものではないが、後記する解体工程において、作業員が安全にブロック３０の撤去を行うことが可能な程度の大きさとする。なお、本実施形態では、撤去領域２を矩形状に形成するものとしたが、撤去領域の形状は限定されるものではなく、適宜設定することが可能である。
【００２８】
まず、撤去領域２の外周囲を矩形状に囲むように、コンクリート躯体１に、縦横の周縁切込み１０を形成する（図１（ａ）参照）。
ここで、本実施形態では、撤去領域２を囲むように形成された周縁切込み１０のうち、下側の横方向の周縁切込み１０を第一切込み１１とする。なお、第一切込み１１は、下側に周縁切込み１０に限定されるものではない。
【００２９】
なお、周縁切り込み１０は、図３（ａ）に示すように、異なる直径からなるカッター刃Ｃ１，Ｃ２同士を組み合わせてなる二枚刃のカッターＣを利用して形成することで、表面側の溝幅が底側の溝幅よりも大きくなるように段差付きの溝により形成されている。このカッターＣのカッター刃Ｃ１，Ｃ２は、モータＣ３の動力により、同軸回りに回転する。
本実施形態では、全ての周縁切込み１０を、二枚刃のカッターＣを利用して溝幅を広く形成するものとしたが、少なくとも１辺（第一切込み１０）の溝幅が広く形成されていればよい。
【００３０】
ここで、本実施形態では、周縁切込み１０の形成に、溝幅を太くするために２枚刃のカッターＣを使用するものとしたが、カッターＣの構成はこれに限定されるものではない。なお、カッター刃Ｃ１，Ｃ２の直径は適宜設定すればよいが、本実施形態では、大型のカッター刃Ｃ１の半径が、小型のカッター刃Ｃ２の半径よりも、コンクリート躯体に配筋された主筋の鉄筋径＋２〜５ｍｍ程度大きいものを使用する。このようなカッターＣを使用することで、主筋を避けた段差付きの溝を形成し、鉄筋切断負荷を低減させる。
【００３１】
次に、図１（ａ）に示すように、周縁切込み１０，１０，…により囲まれた撤去領域２内に、縦切込み２２（縁内切込み２０）を所定の間隔により複数本形成する。
なお、縦切込み２２の形成は、一枚刃のカッターを利用して行うものとし、周縁切込み１０の溝幅よりも狭い溝幅で形成する。
【００３２】
続いて、図１（ｂ）に示すように、撤去領域２内に、第一切込み１１と平行に第二切込み２１（縁内切込み２０）を形成する。第二切込み２１を形成することにより、最下段のブロック３０，３０，…が複数形成される。なお、第二切込み２１は、第一切込み１１に沿って形成されていれば、必ずしも平行でなくてもよい。
本実施形態では、第二切込み２１を、第一切込み１１と同様に、異なる直径の刃Ｃ１，Ｃ２同士を組み合わせてなる二枚刃のカッターＣを利用して形成することで、表面側の溝幅が底側の溝幅よりも大きくなるように段差付きの溝により形成している（図３（ｂ）参照）。
【００３３】
解体工程では、切込み工程において形成されたメッシュ状の切込み（周縁切込み１０および縁内切込み２０）により形成されたブロック３０，３０，…の撤去を行う。
【００３４】
ブロック３０の撤去は、図３（ｂ）に示すように、第二切込み２１にくさび４１を挿入し、第二切込み２１の溝幅を広げて、第一切込み１１と第二切込み２１とにより挟まれたブロック３０に、下方向の荷重Ｐを加えることにより行う。
ここで、第二切込み２１には段差が形成されて、第二切込み２１の表面側の溝幅が底側の溝幅よりも大きく形成されているため、くさび４１を溝（第二切込み２１）の奥まで挿入することができる。また、第二切込み２１の溝の段差により、てこの原理を利用して、下方向の荷重Ｐを効率的に加えることができる。
【００３５】
第一切込み１１と第二切込み２１との間に形成されたブロック３０に、下方向の荷重が作用することで、図３（ｂ）に示すように、根元においてせん断破壊Ｓが生じる。そして、図３（ｃ）に示すように、ブロック３０をその根元においてコンクリート躯体１から分離して、撤去することができる。
【００３６】
解体工程では、図１（ｃ）に示すように、ブロック３０毎に撤去を行い、最下段のブロック３０を全て撤去する。
【００３７】
図２（ａ）に示すように、最下段のブロック３０の撤去が終了したら、第一切込み１１と平行な第二切込み２１を形成し、２段目のブロック３０，３０，…を形成する（切込み工程）。
そして、最下段と同様の方法により、２段目のブロックの撤去を行う（解体工程）。
【００３８】
切込み工程と解体工程を必要回数繰り返すことにより、図２（ｂ）に示すように、撤去領域２内の全てのブロック３０を撤去する。
なお、最上段のブロック３０の解体工程では、上側の周縁切込み１０にくさび４１を挿入することにより行う。また、施工の手順は前記の手順に限定されるものではなく、例えば、必要段数分の第２切込み２１（横切込み）を形成した後、段毎にブロック３０を撤去する構成としてもよい。
【００３９】
以上、第１の実施の形態にかかるコンクリート躯体の解体方法によれば、撤去領域２を細分化することに形成されたブロック３０を、個々に撤去するため、人力による搬送が可能な程度の塊により解体することが可能となる。また、粉塵の発生も抑制することが可能である。そのため、作業時の安全性が確保されるとともに、作業性にも優れている。
【００４０】
また、コンクリート躯体１を貫通させることなく、所望の厚みにより解体することが可能なため、仮支持構造等を要することなく、大面積範囲にわたる撤去範囲に対しても適用が可能である。
また、複数のブロック３０，３０，…に細分化して撤去するため、撤去範囲を最小限に制限することが可能となり、廃棄物の量を最小限に抑えることが可能となる。
【００４１】
また、第一切込み１１の切削幅が太く形成されているため、第二切込み２１の溝幅を広げることで、ブロック３０に第一切込み１１方向の力を負荷することが容易となる。これにより、ブロック３０の根元においてせん断破壊を生じさせて、容易にブロック３０の撤去を行うことができる。
【００４２】
また、第二切込み２１が、段差を有した溝に形成されているため、くさび４１を溝の奥まで挿入して、ブロック３０の根元に荷重Ｐを加えることが可能となる。また、第二切込み２１に形成された段差を利用すれば、テーパ状に形成されたくさびを挿入するのみで、下方向の荷重Ｐを作用させることが可能となる。
【００４３】
また、ブロック３０は、ドラム缶等の処分容器に規則正しく詰めることが可能となる。さらに、これらのブロック３０と処分容器との間に形成された隙間に切込み１０，２０の形成に伴い発生した切り粉（粉じん）を詰めることで、処分容器の充填率を限りなく１００％に近づけることが可能となる。
【００４４】
また、コンクリート躯体１の解体に使用する機械としては、カッターＣのみで済むため、設備費が安価である。
【００４５】
＜第２の実施の形態＞
本実施形態では、コンクリート躯体１である放射線遮蔽壁について、放射能により汚染された汚染部分３を含む撤去領域２を、本発明のコンクリート躯体の解体方法により撤去する場合について説明する（図４参照）。
【００４６】
本実施形態に係るコンクリート躯体の解体方法は、コンクリート躯体１に設定された撤去領域２に、メッシュ状の切込み（周縁切込み１０および縁内切込み２０）を入れて該撤去領域２を複数のブロック３０，３０，…に分割する切込み工程と、これらのブロック３０，３０，…を撤去する解体工程とを含んでいる（図４および図５参照）。
【００４７】
切込み工程では、汚染部分３を含む矩形状の撤去領域２に、メッシュ状の切込み（周縁切込み１０および縁内切込み２０）を形成する。切込み工程で形成されるメッシュの大きさ（ブロック３０の大きさ）は限定されるものではないが、後記する解体工程において、作業員が安全にブロック３０の撤去を行うことが可能な程度の大きさとする。なお、本実施形態では、撤去領域２を矩形状に形成するものとしたが、撤去領域の形状は限定されるものではなく、適宜設定することが可能である。
【００４８】
まず、撤去領域２の外周囲を矩形状に囲むように、コンクリート躯体１に、縦横の周縁切込み１０を形成する（図４（ａ）参照）。
ここで、本実施形態では、撤去領域２を囲むように形成された周縁切込み１０のうち、下側の横方向の周縁切込み１０を第一切込み１１とする。なお、第一切込み１１は、下側に周縁切込み１０に限定されるものではない。
【００４９】
なお、周縁切り込み１０は、図６（ａ）に示すように、異なる直径からなるカッター刃Ｃ１，Ｃ２同士を組み合わせてなる二枚刃のカッターＣを利用して形成することで、表面側の溝幅が底側の溝幅よりも大きくなるように段差付きの溝により形成されている。
本実施形態では、全ての周縁切込み１０を、二枚刃のカッターＣを利用して溝幅を広く形成するものとしたが、少なくとも１辺（第一切込み１０）の溝幅が広く形成されていればよい。
【００５０】
ここで、周縁切込み１０の形成に使用するカッターＣの構成は、第１の実施の形態で示したものと同様なため、詳細な説明は省略する。
【００５１】
次に、図４（ａ）に示すように、周縁切込み１０，１０，…により囲まれた撤去領域２内に、縦切込み２２および横切込み（第二切込み２１）を形成し、撤去領域２を複数のブロック３０，３０，…に分割する。
なお、縁内切込み２０（縦切込み２２および横切込み）の形成は、一枚刃のカッターを利用して行うものとし、周縁切込み１０の溝幅よりも狭い溝幅で形成する。
【００５２】
続いて、図４（ｂ）および図６（ａ）に示すように、最下段の横切込みである第二切込み２１と縦切込み２２との交点にドリルＤにより有底の解体孔２３を形成する。
【００５３】
解体工程では、切込み工程において形成されたメッシュ状の切込み（周縁切込み１０および縁内切込み２０）により形成されたブロック３０，３０，…の撤去を行う。
【００５４】
ブロック３０の撤去は、図６（ｂ）に示すように、解体孔２３に破砕剤４２を充填し、破砕剤４２に膨張力により第二切込み２１の溝幅を広げて、第一切込み１１と第二切込み２１により挟まれたブロック３０に下方向の荷重Ｐを作用させることにより行う。
【００５５】
破砕剤４２が膨張することにより、下方向の荷重Ｐが作用するため、ブロック３０には、根元においてせん断破壊Ｓが生じる。そして、図４（ｃ）および図６（ｃ）に示すように、ブロック３０をその根元においてコンクリート躯体１から分離されて、最下段のブロック３０が全て撤去される。
【００５６】
最下段のブロック３０の撤去が終了したら、図５（ａ）に示すように、下から２段目の第二切込み２１と縦切込み２２との交点にドリルＤにより解体孔２３を形成する（切込み工程）。
そして、最下段と同様の方法により、解体孔２３に破砕剤４２を充填し、２段目のブロック３０，３０，…の撤去を行う（解体工程）。
【００５７】
切込み工程の解体孔２３の形成と解体工程とを必要回数繰り返すことにより、図５（ｂ）に示すように、撤去領域２内の全てのブロック３０を撤去する。
なお、最上段のブロック３０の解体は、上側の周縁切込み１０に解体孔２３を形成し、破砕剤４２を充填することにより行えばよい。また、施工の手順は前記の手順に限定されるものではなく、例えば、全ての解体孔２３，２３，…を形成した後、ブロック３０，３０，…を段毎に解体する構成としてもよい。
【００５８】
以上、第２の実施の形態にかかるコンクリート躯体の解体方法によれば、破砕材４２による静的破砕を利用しているため、撤去範囲２の解体時には、作業員は離れた位置で待機していることが可能となる。そのため、コンクリート塊の崩落や粉じんの飛散等に伴う危険性が低減される。
【００５９】
また、解体孔２３の深さを調整することにより、所望の深さによる撤去を容易に行うことができ、廃棄物の処分量を最小限に抑えることが可能となる。
【００６０】
この他の第２の実施の形態にかかるコンクリート躯体の解体方法による作用効果は、第１の実施の形態で示した内容と同様なため、詳細な説明は省略する。
【００６１】
以上、本発明について、好適な実施形態について説明した。しかし、本発明は、前述の各実施形態に限られず、前記の各構成要素については、本発明の趣旨を逸脱しない範囲で、適宜設計変更が可能であることはいうまでもない。
例えば、前記各実施形態では、放射能により汚染された汚染部分を有する放射線遮蔽壁について、本発明のコンクリート躯体の解体方法により汚染部分を撤去する場合について説明したが、本発明のコンクリート躯体の解体方法が適用されるコンクリート躯体は限定されるものではなく、あらゆるコンクリート構造物に適用可能である。
【００６２】
また、解体の対象となるコンクリート躯体は、鉄筋コンクリート製のものに限定されるものではなく、例えば無筋コンクリートにより構成されたコンクリート躯体であってもよい。
【００６３】
前記各実施形態では、周縁切込みを段差付きの溝により形成するものとしたが、溝の形状は限定されるものではない。
同様に第二切込みの断面形状も限定されるものではない。
また、縁内切込みについても、段差付きの溝で形成してもよい。
【００６４】
前記第１の実施の形態では、くさびを利用して第二切込みの溝幅を広げるものとしたが、第二切込みの溝幅の拡幅方法は限定されるものではない。
【００６５】
また、前記第２の実施の形態では、解体孔を形成して解体孔に膨張剤を充填するものとしたが、縁内切込みに直接膨張剤を充填して、この膨張剤の膨張力により縁内切込みの溝幅を広げる構成としてもよい。
【図面の簡単な説明】
【００６６】
【図１】（ａ）〜（ｃ）は、第１の実施の形態に係るコンクリート躯体の解体方法の各作業工程を示す斜視図である。
【図２】（ａ）〜（ｂ）は、第１の実施の形態に係るコンクリート躯体の解体方法の各作業工程を示す斜視図である。
【図３】図１および図２に示すコンクリート躯体の解体方法の各作業工程を示す拡大断面図であって、（ａ）は切込み工程、（ｂ）は解体工程、（ｃ）は解体後の状況を示している。
【図４】（ａ）〜（ｃ）は、第２の実施の形態に係るコンクリート躯体の解体方法の各作業工程を示す斜視図である。
【図５】（ａ）〜（ｂ）は、第２の実施の形態に係るコンクリート躯体の解体方法の各作業工程を示す斜視図である。
【図６】図４および図５に示すコンクリート躯体の解体方法の各作業工程を示す拡大断面図であって、（ａ）は切込み工程、（ｂ）は解体工程、（ｃ）は解体後の状況を示している。
【符号の説明】
【００６７】
１    コンクリート躯体
２    撤去領域
１０  周縁切込み
１１  第一切込み
２０  縁内切込み
２１  第二切込み
Ｃ    カッター
Ｃ１，Ｃ２  カッター刃
【図１】
0005096819.tif 000002
【図２】
0005096819.tif 000003
【図３】
0005096819.tif 000004
【図４】
0005096819.tif 000005
【図５】
0005096819.tif 000006
【図６】
0005096819.tif 000007